(57)【要約】【課題】歯科用治療椅子に乗降する際は患者の邪魔にならず、しかも、患者が歯科用治療椅子に座っている時に、術者が患者に対面して歯科治療したり口腔写真撮影したりする際に、術者の邪魔にならずしかも患者の姿勢が不安定になることのないようにしたフットレストを有する歯科用治療椅子を提供する。【解決手段】フットレスト２０を有する歯科用治療椅子１０において、前記フットレスト２０は中央部が前後に移動可能なスライド板２１で構成され、歯科用治療椅子への乗降時、前記中央部スライド板２１が後退され、後退後の開口部Ｂより乗降可能とした。前記フットレスト２０は、両側部に前記中央部スライド板２１を前後動させるためのガイドアーム２２1，２２2を有し、治療椅子に座った患者は、前記中央部スライド板２１が後退されている時、前記ガイドアーム２２1，２２2上に足を乗せることができる。【選択図】図１
2005334299.tif 000002
【特許請求の範囲】
【請求項１】
フットレストを有する歯科用治療椅子において、前記フットレストは中央部が前後に移動可能なスライド板で構成され、歯科治療椅子への乗降時、前記中央部スライド板が後退され、後退後の開口部より乗降可能としたことを特徴とする歯科用治療椅子。
【請求項２】
前記フットレストは、両側部に前記中央部スライド板を前後動させるためのガイドアームを有し、治療椅子に座った患者は、前記中央部スライド板が後退されている時、前記ガイドアーム上に足を乗せることができるようにしたことを特徴とする請求項１に記載の歯科用治療椅子。
【発明の詳細な説明】
【技術分野】
【０００１】
本発明は、歯科用治療椅子、より詳細には、フットレスト（フットステップ）を有する足折れ式の歯科用治療椅子において、フットレストの中央部を前後動可能にし、患者が歯科用治療椅子に乗降する際、該中央部を後退させて開口部を作り、該開口部より（つまり、フットステップに乗ることなく）歯科用治療椅子に乗降可能にするとともに、術者が患者に対面して診療したり写真撮影等を行う場合に、フットレストの中央部を開口しておくことにより、該開口部に足を入れることができ、作業が非常にしやすくなり、しかも、その際、患者は、両側のスライドアームに足を乗せておくことができ、患者に対しても、何らの不便をも与えないようにしたものである。
【背景技術】
【０００２】
図２は、本発明が適用される歯科用治療椅子の一例を説明するための要部概略構成図で、図中、１０は歯科用治療椅子、１１は安頭台、１２はバックレスト、１３はコンタシート、１４はレッグレスト、１５はフットレスト（フットステップ）、１６は基台で、周知のように、常時は、起状態にあり、この状態で、患者は、フットステップ１５の上に乗って、その後、コンタシート１３に腰掛ける。その後、術者（ドクター）は、椅子を倒状態に（寝状態）にして治療を行い、或いは、起状態にするとともに、椅子を上昇させて患者がうがいがしやすいようにする等、椅子１０を起、或いは、倒状態にして歯科治療を行う。
【０００３】
上記歯科用治療椅子においては、患者は、フットステップ１５の上に乗って、その後、コンタシート１３に腰掛けるようにしており、また、うがい時には、椅子を上昇させてうがいがしやすい状態にするが、この時、患者は、足をフットステップ１５の上に載せることができ、これによって、安定して腰掛けていることができるようになっている。
【０００４】
上述のように、従来の歯科用治療椅子においては、フットステップを有し、このフットステップの上に足を載せることによって、安定して腰掛けることができるようになっているが、乗降時、このフットステップの上に乗ってからコンタシートに腰掛けるようになっているため、老人や肢体不自由の患者は、狭いフットステップの上に乗ってから腰掛けなければならず、治療椅子への乗降が大変であった。勿論、フットステップがなければ、治療椅子への乗降は楽にできるが、治療中、特に、椅子が上昇された時に、足が宙ぶらりんになり、患者に不安感を与えてしまう。
【０００５】
上述のように、歯科用治療椅子においては、フットステップがなければ、治療椅子への乗降が楽であるが、治療中はフットステップ（フットレスト）があるのが理想である。特に、咬合採得の際には、食事をする時と同様に、足の裏がフットステップや床にしっかり付いた状態でなければならない。
【０００６】
上述のごとき実情に鑑みて、本出願人は、先に治療椅子への乗降に際し、フットステップに乗ることなく乗降でき、かつ、治療椅子に座っている時は、フットステップ上に足を載せることができるようにして、老人や肢体不自由者にやさしく、しかも安定した状態で治療を受けることのできる歯科用治療椅子を提案した（例えば、特許文献１参照）。
【０００７】
図３は、本出願人が先に提案した歯科用治療椅子の一例を説明するための全体斜視図で、図中、フットレスト（フットステップ）を除いて、全図を通して同様の作用をする部分には、同一の参照番号が付してある。而して、この図３に示した例において、１７はフットレスト（フットステップ）で、このフットレスト１７は、レッグレスト１４の下端部の一方の端に水平方向に（レッグレスト１４から延長する垂直軸まわりに）矢印方向に回動可能に取り付けられており、患者が治療椅子１０に乗降する時は、図示のように、開いた状態、つまり、患者が乗降する領域Ａにフットレスト１７が存在せず、従って、患者は、フットレスト１７の上に乗ることなく、床面から直接治療椅子に腰掛けることができ、或いは、治療椅子から直接床面に降りることができ、安心（安定）して治療椅子に乗降することができるようになっている。患者が治療椅子に腰掛けた後は、フットレスト１７を矢印方向に回転し、その先端部を係止具１７1に係止させることで、フットレスト１７を安定して固定することができ、この状態で、患者は、フットレスト１７の上に載せた状態で治療を受けることができる。
【０００８】
図４は、他の例を説明するための図で、この例は、フットレストを垂直・水平面間（水平軸の軸まわり）で回動可能に取り付けたもので、図示例の場合、２つのフットレスト１８1，１８2が回動可能に取り付けられており、図示の開状態で乗降し、治療中は、矢印方向に倒して閉状態にし、足を載せることができるようになっている。なお、図３に示した例においては、フットレスト１７を１つとし、レッグレスト１４の一方の側にのみ設けた例を示したが、図４に示したフットレスト１８1，１８2のように、レッグレスト１４の両下端部に設けるようにしてもよく、また、図４に示した例においては、フットレスト１８1，１８2を２つ設けた例を示したが、図３に示した例のように、レッグレスト１４の一方の下端部のみに設けるようにしてもよい。
【０００９】
図５は、更に、他の例を説明するための図で、この例においては、治療中、フットレスト１９は、図５（Ａ）に示すように、通常のフットレストと同様に、レッグレスト１４の下端部より前方に延長しているが、治療椅子への乗降時は、矢印方向に移動してレッグレスト１４の裏側に移動するようになっている。図５（Ｂ）は、フットレスト１９の動作説明をするための図で、例えば、フットレスト１９を矢印Ａ方向に倒して鎖線にて示す状態とし、この状態で矢印Ｂ方向に移動させてレッグレスト１４の裏側に収納し、この状態で、椅子を下げて乗降し、その後、椅子を上昇させ、前記と逆の手順を辿って図５（Ａ）の状態にし、この状態で治療を受ける。この実施例によると、足の下側からフットレスト１９が持ち上がってくるので、患者は足を持ち上げる等の配慮をする必要はない。
【特許文献１】特公平１１−３３０６６号公報
【発明の開示】
【発明が解決しようとする課題】
【００１０】
上述のごとき、本出願人が先に提案した歯科用治療椅子によれば、患者が治療椅子に乗降する際、フットレストが邪魔にならず、患者は容易に歯科用治療椅子に乗降することができ、また、歯科治療中、患者は足をフットレストに乗せることができ、安定した状態で治療を受けることできるが、術者が患者に対面して診療する場合、或いは、写真撮影等を行う場合、フットレストが邪魔になり、術者は、フットレストを跨ぐ等の不安定な姿勢で診療或いは写真撮影をしなければならなかった。また、図３〜図５に示したように、フットレストを開けば、開いた後の開口部に足を踏み入れることができ、診療或いは写真撮影が容易になるが、その際、患者は、足を乗せる場所がなく、不安定な姿勢になる。
【００１１】
本発明は、上述のごとき実情を鑑みてなされたもので、歯科用治療椅子に乗降する際は患者の邪魔にならず、しかも、患者が歯科用治療椅子に座っている時に、術者が患者に対面して治療したり写真撮影したりする際に、術者の邪魔にならずしかも患者の姿勢が不安定になることのないようにしたフットレストを有する歯科用治療椅子を提供することを目的としてなされたものである。
【課題を解決するための手段】
【００１２】
請求項１の発明は、フットレストを有する歯科用治療椅子において、前記フットレストは中央部が前後に移動可能なスライド板で構成され、歯科用治療椅子への乗降時、前記中央部スライド板が後退され、後退後の開口部より乗降可能としたことを特徴としたものである。
【００１３】
請求項２の発明は、請求項１の発明において、前記フットレストは、両側部に前記中央部スライド板を前後動させるためのガイドアームを有し、治療椅子に座った患者は、前記中央部スライド板が後退されている時、前記ガイドアーム上に足を乗せることができるようにしたことを特徴とするものである。
【発明の効果】
【００１４】
本発明によると、患者は、フットレスト（フットステップ）が邪魔になることなく歯科用治療椅子に乗降することができ、術者もフットレストが邪魔になることなく対面診療や写真撮影をすることができ、しかも、その際、患者は両脚をフットレストの両側のアームに乗せることができ、不安定な姿勢になることはない。
【発明を実施するための最良の形態】
【００１５】
図１は、本発明による歯科用治療椅子の一実施例を説明するための全体構成図で、図中、１０は歯科用治療椅子、１１は安頭台、１２はバックレスト、１３はコンタシート、１４はレッグレスト、１５はフットレスト、１６は基台で、これらは、図２乃至図５に示した従来の歯科用治療椅子を全く同様の作用をするものである。
【００１６】
図１において、２０は本発明によるフットレスト（フットステップ）で、該フットレスト２０は、中央部が前後（矢印Ａ方向）に移動可能なスライド板２１と、該中央部スライド板２１の両側を支持案内する中央スライド板支持アーム２２1，２２2よりなっている。図１には、中央部スライド板２１が後退してフットレスト２０の中央部（Ｂにて示すアーム２２1と２２2との間の領域）が開口されている状態を示す。
【００１７】
上述のように、本発明によると、フットレスト２０は、その中央部が前後に移動可能なスライド板２１となっているので（移動手段は、電動、油圧手動、等任意所望の手段を用いることができる）、患者が治療椅子１０へ乗降する時は、図示のように、中央部スライド板２１を後退させ、開口部Ｂより乗降するようにすれば、患者はフットレスト２０が邪魔になることなく、歯科用治療椅子に乗降することができる。しかも、歯科用治療椅子に乗った後、中央部スライド板２１が前進して開口部Ｂを閉じるまでの間、及び、歯科用治療椅子から降りる際、中央部スライド板２１が後退してフットレストの中央部が開口する時、患者は足をフットレスト両側部のスライド板支持アーム２２1，２２2に乗せておくことができるので、フットレスト中央部が開口しても、患者は足を乗せる場所があり、不安定になるようなことはない。勿論、歯科治療中は、中央部スライド板２１を前進させ、開口部を塞ぎ、患者が足を乗せる通常のフットレストとして使用する。
【００１８】
更には、術者と患者とが対面して診療を行うような場合、或いは、口腔内を写真撮影するような場合、術者は開口部に足を入れて患者に接近することができるので、フットレストが邪魔になるようなことはない。また、その際（中央部スライド板２１が後退している時に）、患者は、両側のスライド板が支持アーム２２1，２２2に足を乗せることができるので、患者が不安定な姿勢になることもない。
【００１９】
本発明によると、フットレストの中央部を前後動可能なスライド板とし、両側部を該スライド板を支持する支持アームとしたので、中央部スライド板を後退させた時に、患者は該スライド板が後退した後の開口部に足を入れて、歯科用治療椅子に乗降できるので、フットレストが患者の足の邪魔にならず、患者は安全に歯科用治療椅子に乗降することができる。
フットレストの中央部がスライドするので、高齢患者が椅子に座る際にコンタシートの近くまで来てから腰を下ろすことが出来るので、非常に座り易い。
フットレストの中央部が前後にスライドするようにしたので、シンプルな機構で荷重をしっかり保持することが出来、安全である。
術者と患者が対面状態での対面診療や咬合調節時または写真を撮る際に、術者の足がスライド板が後退した後の開口部に入るので非常に便利である。
【図面の簡単な説明】
【００２０】
【図１】本発明による歯科用治療椅子の一実施例を説明するための要部構成図である。
【図２】従来の歯科用治療椅子の一例を説明するための図である。
【図３】本出願人が先に提案した歯科用治療椅子の一例を説明するための図である。
【図４】本出願人が先に提案した歯科用治療椅子の他の例を説明するための図である。
【図５】本出願人が先に提案した歯科用治療椅子の更に他の例を説明するための図である。
【符号の説明】
【００２１】
１０…歯科用治療椅子、１１…安頭台、１２…バックレスト、１３…コンタシート、１４…レッグレスト、１５…フットレスト、１６…基台、２０…フットレスト（フットステップ）、２１…中央部スライド板、２２1，２２2…スライド板側部支持アーム。
【図１】
2005334299.tif 000003
【図２】
2005334299.tif 000004
【図３】
2005334299.tif 000005
【図４】
2005334299.tif 000006
【図５】
2005334299.tif 000007